(57)【要約】      （修正有）【課題】取外し用治具（コイン）が差し込まれる軟性状プラスチック肩カバーの周方向スリットの対向部分まで操作ボタンが配設されている場合の、マウンティングキャップと肩カバーとを確実に分別する。【解決手段】周方向スリット７ｇと対向する押しボタン２の周面下端部分に周方向切欠状部２ａを設けてコイン１がこの切欠状部まで進入できるようにした。コイン１の押上げ操作時の支点Ａ（マウンティングキャップ５との当接部）は、周方向切欠状部２ａを設けない従前よりもこの進入分だけ初期作用点Ｃ（周方向スリット上側端面との当接部）から離れる。そのため初期作用点Ｃに作用するコイン１の押上力方向は従前の内側斜上よりも直上に近くなり、周方向スリット７ｇの直上部分には従前のような内方への変形が生じにくく、コイン１の押上げ操作により下筒部７ａも確実に上動して凸状部分７ｂがアンダーカット５ａから離脱する。【選択図】図２
2012035846.tif 000002
【特許請求の範囲】
【請求項１】
内容物噴射の作動モードのときもエアゾール容器のマウンティングキャップとの係合状態に保持されたままの筒状でプラスチック製の肩カバーおよび、当該肩カバーの内側に配設された操作ボタンを備え、かつ、肩カバー分別用の円板状治具を差し込むための周方向スリットが当該マウンティングキャップより上方の肩カバー周面部分に形成されたエアゾール噴射側外装機構において、
前記肩カバーは、
軟性状のプラスチック製カバー体であり、
前記操作ボタンは、
その静止モード位置の、前記周方向スリットと対向する周面下端部分に、前記円板状治具の進入を許容するための周方向切欠状部が形成されている、
ことを特徴とするエアゾール噴射側外装機構。
【請求項２】
前記周方向スリットおよび前記周方向切欠状部の少なくとも一方は、
当該周方向スリットから当該周方向切欠状部へと差し込まれる前記円板状治具の周面を当該一方の端部で保持できる形の周方向長さからなる、
ことを特徴とする請求項１記載のエアゾール噴射側外装機構。
【請求項３】
内容物噴射の作動モードのときもエアゾール容器のマウンティングキャップと係合し、かつ、肩カバー分別用の円板状治具を差し込むための周方向スリットを当該マウンティングキャップより上方の周面部分に形成した、プラスチック製で軟性状の筒状肩カバーの、内側に配設されるエアゾール用操作ボタンにおいて、
前記内側に配設された場合の静止モード位置の前記周方向スリットと対向する周面下端部分に、前記円板状治具の進入を許容するための周方向切欠状部が形成されている、
ことを特徴とするエアゾール用操作ボタン。
【請求項４】
請求項１または請求項２に記載のエアゾール噴射側外装機構を備え、かつ、噴射剤および内容物を収容した、
ことを特徴とするエアゾール式製品。
【発明の詳細な説明】
【技術分野】
【０００１】
本発明は、内容物噴射時もエアゾール容器のマウンティングキャップに強めの係合状態で保持されたままの筒状，プラスチック製の肩カバー（以下の記載では必要に応じて単に「肩カバー」という）および、当該肩カバーの内側に配設された操作ボタンを備えるとともに、肩カバー分別用の円板状治具を差し込むための周方向スリットが当該肩カバーの当該マウンティングキャップより上方の周面部分に形成されたエアゾール噴射側外装機構などに関する。
【０００２】
特に、周方向スリットに対向する肩カバー内部空間域まで非操作状態の操作ボタンが入り込み、かつ、肩カバーとしてＨＤＰＥ(高密度ポリエチレン），ＬＤＰＥ（低密度ポリエチレン），ＬＬＤＰＥ（直鎖状低密度ポリエチレン）などからなる軟性状のプラスチック製カバー体を用いる場合を対象とする。
【０００３】
本発明は、利用者が、軟性状（軟材質）の肩カバーに対しても、その周方向スリットにコインやチップなどの円板状治具を差し込んでからその露出側部分を押し上げることにより、当該肩カバーがマウンティングキャップから簡単，確実に取り外される、すなわちエアゾール容器と肩カバーとの分別を容易に行えるようにしたものである。
【０００４】
なお、エアゾール容器および肩カバーの分別を行うのは、内容物消尽後の金属製などのエアゾール容器とプラスチック製の肩カバーとを個々に廃棄するためや、当該エアゾール容器の再利用を図るためである。
【０００５】
本明細書では必要に応じて、操作ボタンが押圧などの操作を受けずにステム孔部（＝内容物噴射用の弁作用部）が閉じた状態を「静止モード」と記し、操作ボタンが押圧などの操作を受けてステム孔部が開いた状態を「作動モード」と記す。
【背景技術】
【０００６】
従来、エアゾール容器のマウンティングキャップとプラスチック製の肩カバーとの強い係合状態を解除して個々のパーツに分別するため、マウンティングキャップより上方の肩カバー周面部分に治具（コイン，へら状）差し込み用の周方向スリットを形成した、エアゾール噴射側の外装機構が提案されている（特許文献１参照）。
【０００７】
ここで、マウンティングキャップと肩カバーとの強い係合状態を解除するには、利用者が、肩カバーの周方向スリットにコインなどの一部を差し込んでから残りの露出部分を押し上げればよい。
【０００８】
この押上げ操作ともない、コインなどの治具はマウンティングキャップとの当接箇所をいわば支点としたテコ作用を呈する。
【０００９】
このテコ作用により、肩カバーの周方向スリットの上側端面部分が治具上面側と当接して上方への回動作用を受けて、この当接側からマウンティングキャップと肩カバーとの係合状態が解除される。すなわちプラスチック製の肩カバーがマウンティングキャップ（エアゾール容器）から離脱する。
【先行技術文献】
【特許文献】
【００１０】
【特許文献１】特開平９−３１５４７０号公報
【発明の概要】
【発明が解決しようとする課題】
【００１１】
このような従来の、コインなどの治具を肩カバーの周方向スリットに差し込んでから当該治具の露出部分を押し上げ、これにより肩カバーの当該治具側をテコ作用に基づいてマウンティングキャップから持ち上げるといった手法は、一定の効果が期待できる。
【００１２】
ただ、ここではプラスチック製の肩カバー自体の硬さ，軟らかさや、肩カバーの周方向スリットと操作ボタンとの上下方向の位置関係（＝周方向スリットに略水平状態で差し込んだ治具が操作ボタンの外周面にあたってしまうかどうか）などの考察が一切されていない。
【００１３】
そのため、肩カバー自体の性状や、肩カバーの周方向スリットへの治具の挿込み長などに基づく特定態様のカバー体および操作ボタンの組み合わせの場合には、単に肩カバーに周方向スリットを形成してそこに治具を差し込んでその露出部分を押し上げても、肩カバーとマウンティングキャップとの強い係合状態を解除できないという問題点があった。
【００１４】
本件出願人は、肩カバーの周方向スリットに水平状態で差し込まれた円板状治具が操作ボタンと対向し、かつ、肩カバーとして、ＨＤＰＥ(高密度ポリエチレン），ＬＤＰＥ（低密度ポリエチレン），ＬＬＤＰＥ（直鎖状低密度ポリエチレン）などの軟性状のカバー体を用いる場合について、上述の特定態様のカバー体および操作ボタンからなるエアゾール噴射側外装機構に相当することを認識した。
【００１５】
すなわち、このような円板状治具が当接する操作ボタンおよび軟性状の肩カバーの組み合わせの場合、上述のごとく、肩カバーに周方向スリットを形成してそこに円板状治具を差し込んで押し上げるだけでは肩カバーとマウンティングキャップとの強い係合状態が解除されないことを確認した。
【００１６】
そして、この組み合わせにおける、円板状治具を周方向スリットに差し込んで押し上げるときの肩カバーの状態変化に関する検討，実験，考察の結果、
(11)円板状治具の、操作ボタン外周面に当接したときの周方向スリットへの差込み長（＝周方向スリットからその対向する操作ボタン外周面までの間隔）が短く、
(12)これに応じ、利用者が円板状治具を押し上げるときのテコ作用で肩カバーをマウンティングキャップから取り外そうとするとき、当該円板状治具の支点（マウンティングキャップとの接触ポイント：図３のＢ点）から初期作用点（≒周方向スリットの上側端面部分との初期接触部分：図３のＣ点）までのいわゆる腕の長さも短くなり、
(13)この短さのため、円板状治具が押し上げられる初期段階で周方向スリットの上側端面と当接したときの当該円板状治具の水平状態からの傾きが比較的大きくなり、
(14)その結果、円板状治具の押上げ操作の際に、周方向スリットの上端面部分が（上方向というよりは）内方への斜め上方向の力を受けやすく、肩カバーの周方向スリットの直上垂下部分がもっぱら内方へと移動するローカルな変形作用を呈し（図３(b)参照）、
(15)肩カバーに対するこの円板状治具の押上げ力によって当該肩カバーとマウンティングキャップとの係合状態が解除されるまでの作用は生じない、
ことを知見するにいたった。
【００１７】
そこで本発明では、
(21)上記(12)の「腕の長さ」を少しでも長くして上記(13)の「円板状治具の傾き」を比較的小さくし、
(22)これにともない、円板状治具への押上げ操作力が周方向スリットの上端面部分に作用する方向をできるだけ上方向に、すなわち斜め上方向となる程度が小さくなるように設定して、上記(14)の「ローカルな変形作用」の程度を極力小さくする、
ようにしている。
【００１８】
本発明はこれにより、上述した「円板状治具が対向する形の操作ボタンおよび軟性状の肩カバーの組み合わせ」における肩カバーとマウンティングキャップとの係合状態解除の確実化を図ることを目的とする。
【００１９】
また、肩カバーの周方向スリットに差し込まれる円板状治具が操作ボタンの一部（後述の周方向切欠状部）や周方向スリットの各周方向端部にあたって止まり、利用者はこの停止位置の当該円板状治具を押し上げるといった肩カバー取外し操作態様を設定し、これにより利用者にとっての肩カバー取外し用円板状治具の差込み操作の簡単化を図ることを目的とする。
【課題を解決するための手段】
【００２０】
本発明は、以上の課題を次のようにして解決する。
（１）内容物噴射の作動モードのときもエアゾール容器（例えば後述の容器本体４）のマウンティングキャップ（例えば後述のマウンティングキャップ５）との係合状態に保持されたままの筒状でプラスチック製の肩カバー（例えば後述の肩カバー７）および、当該肩カバーの内側に配設された操作ボタン（例えば後述の押しボタン２）を備え、かつ、肩カバー分別用の円板状治具（例えば後述のコイン１）を差し込むための周方向スリット（例えば後述の周方向スリット７ｇ）が当該マウンティングキャップより上方の肩カバー周面部分に形成されたエアゾール噴射側外装機構において、
前記肩カバーは、
軟性状のプラスチック製カバー体であり、
前記操作ボタンは、
その静止モード位置の、前記周方向スリットと対向する周面下端部分に、前記円板状治具の進入を許容するための周方向切欠状部（例えば後述の周方向切欠状部２ａ）が形成されている。
（２）上記（１）において、
前記周方向スリットおよび前記周方向切欠状部の少なくとも一方は、
当該周方向スリットから当該周方向切欠状部へと差し込まれる前記円板状治具の周面を当該一方の端部（例えば後述の周方向切欠状部２ａの両端部分２ｂ）で保持できる形の周方向長さからなる。
（３）内容物噴射の作動モードのときもエアゾール容器（例えば後述の容器本体４）のマウンティングキャップ（例えば後述のマウンティングキャップ５）と係合し、かつ、肩カバー分別用の円板状治具（例えば後述のコイン１）を差し込むための周方向スリット（例えば後述の周方向スリット７ｇ）を当該マウンティングキャップより上方の周面部分に形成した、プラスチック製で軟性状の筒状肩カバー（例えば後述の肩カバー７）の、内側に配設されるエアゾール用操作ボタン（例えば後述の押しボタン２）において、
前記内側に配設された場合の静止モード位置の前記周方向スリットと対向する周面下端部分に、前記円板状治具の進入を許容するための周方向切欠状部（例えば後述の周方向切欠状部２ａ）が形成されている。
【００２１】
このような構成からなるエアゾール噴射側外装機構，エアゾール用操作ボタンおよび、当該エアゾール噴射側外装機構を備えたエアゾール式製品を本発明の対象としている。
【発明の効果】
【００２２】
本発明は以上の課題解決手段により、
(31)「肩カバーの周方向スリットに水平方向に差し込まれた円板状治具が操作ボタンと対向する形の操作ボタンおよび、軟性状の肩カバーの組み合わせ」における、肩カバーとマウンティングキャップとの係合状態解除の確実化を図ることができ、
(32)利用者にとっての肩カバー取外し用円板状治具の差込み操作の簡単化を図ることができる、
といった効果を奏している。
【図面の簡単な説明】
【００２３】
【図１】円板状治具としてのコインを肩カバーの周方向スリットに水平状態で差し込んだ最終状態を示す説明図であり、(a)は平面図（一部断面）を示し、(b)は上下方向の断面図を示している。なお、(a)では比較のために従来例（図３）のコイン差込みの最終状態も示している。
【図２】図１のコインを利用者が矢印の斜め方向に押し上げるときの途中段階を示す説明図であり、(a)，(b)はそれぞれ図１の(a)，(b)と同様の平面図，断面図を示している。
【図３】本発明との比較のため、後述の周方向切欠状部を形成していない操作ボタンを用いた場合における周方向スリットの上方部分のローカルな変形を示す説明図であり、(a)，(b)はそれぞれ図２の(a)，(b)と同様の平面図，断面図を示している。
【発明を実施するための形態】
【００２４】
図１〜図３を用いて本発明を実施するための形態を説明する。
【００２５】
各図で用いるアルファベット付き参照番号の構成要素（例えば周方向切欠状部２ａ）は原則として、当該参照番号の数字部分の構成要素（例えば押しボタン２）の一部であることを示している。
【００２６】
図１〜図３において、
１は円板状治具としてのコイン，
２は外部空間への通路部が形成された上下動タイプ，鞘状であって、その横断面が略小判形状（陸上トラック形状）からなる押しボタン，
２ａは周面下端部分に形成されて、その中にコイン１が進入する周方向切欠状部，
２ｂは当該周方向切欠状部の（周方向）両端部分，
２ｃは内容物や噴射剤の通路部，
２ｄは内容物噴射用の孔部，
２'は周方向切欠状部２ａが形成されていない上下動タイプで鞘状の押しボタン（図３のみで使用），
３は押しボタン２の通路部側と嵌合して周知の弁作用を呈するステム，
４は後述の内容物および噴射剤を収納したエアゾール式製品の周知の容器本体，
５は容器本体４の開口端部側に取り付けられた周知のマウンティングキャップ，
５ａはマウンティングキャップの外側端部分と容器本体４の上端部分との間に設定される環凹状のアンダーカット，
６はマウンティングキャップ５の中央開口部側に取り付けられて、その内部空間域にステム３の下側部分が配設される周知のハウジング，
７はマウンティングキャップ５のアンダーカット５ａに係合し、作動モードにおいてもこの係合状態が保持される筒状の肩カバー，
７ａは当該肩カバーの一番下側に形成された大径の下筒部，
７ｂは下筒部７ａの内周面周方向に形成されてアンダーカット５ａと係合する環状または飛び飛びの凸状部分，
７ｃは下筒部７ａの上端部分から内方に水平状態で続いてマウンティングキャップ５と当接する外環部，
７ｄは外環部７ｃの内端部分から上方に続く中間筒部，
７ｅは中間筒部７ｄの上端部分から内方に水平状態で続く内環部，
７ｆは内環部７ｅの内端部分から上方および下方に続く上筒部，
７ｇは外環部７ｃおよび中間筒部７ｄそれぞれに連続する態様で形成されてコイン１が差し込まれる周方向スリット，
７ｈは押しボタン２の略小判形状の横断面に対応した開口部，
をそれぞれ示している。
【００２７】
なお、図３の肩カバーの形状は図１，図２のそれと同一であり、図３の押しボタン２'と図１，図２の押しボタン２との主たる形状の違いは周方向切欠状部２ａの有無のみである。
【００２８】
また、図２，図３において、
Ａは図２のコイン１のテコ作用における計二個の支点（マウンティングキャップ５の上端縁の内側直下部分との接触ポイント），
Ｂは図３のコイン１のテコ作用における計二個の支点（マウンティングキャップ５の上端縁の内側直下部分との接触ポイント），
Ｃは図２，図３のコイン１のテコ作用における初期作用点（≒周方向スリット７ｇの上側端面部分との当接開始段階における接触部分），
をそれぞれ示している。
【００２９】
ここで、肩カバー７はＨＤＰＥ(高密度ポリエチレン），ＬＤＰＥ（低密度ポリエチレン），ＬＬＤＰＥ（直鎖状低密度ポリエチレン）などの軟材質からなるプラスチック製のものである。
【００３０】
押しボタン２，ステム３およびハウジング６などはポリプロピレン，ポリエチレン，ポリアセタール，ナイロン，ポリブチレンテレフタレートなどからなるプラスチック製のものである。また、容器本体４およびマウンティングキャップ５は金属製のものである。
【００３１】
図示のエアゾール噴射側外装機構の基本的特徴は、
(41)コイン差し込み用の周方向スリット７ｇに対向する肩カバー内部空間域まで静止モードの押しボタン２が入り込み、かつ、肩カバー７としてＨＤＰＥ(高密度ポリエチレン）などの軟材質からなるカバー体を用いる場合において、
(42)静止モード位置の押しボタン２の周方向スリット７ｇと対向する周面下端部分に、コイン１の一部が進入できる周方向切欠状部２ａを形成した、
ことである。
【００３２】
さらには、
(43)肩カバー７の周方向スリット７ｇに略水平状態で差し込まれたコイン１は押しボタン２の周方向切欠状部２ａまで進入して、最終的には当該コインが当該切欠状部の周方向両端部にいわばぶつかって停止し、
(34)利用者がこの停止状態のコイン１の露出部分を図２に示すように図示反時計方向に持ち上げれば肩カバー７の取外しモードに移行できる、
ことである。
【００３３】
図１に示すように、利用者がコイン１を、肩カバー７の周方向スリット７ｇに略水平状態で入れていくと、当該コインの肩カバー内部側の先端部分が押しボタン２の周方向切欠状部２ａまで進入する。
【００３４】
そして上述したようにコイン１は、その側面部分が周方向切欠状部２ａの両端部分２ｂに当接することにより停止する。このとき、コイン１の側面部分は周方向スリット７ｇの両端部分から僅かながら離間している。
【００３５】
利用者がこの停止状態のコイン１の露出部分を図２(b)に示すように図示反時計方向に押し上げていくと、周方向スリット７ｇの上端面部分がコイン１の上面からの力を受けて、アンダーカット５ａと凸状部分７ｂとの係合状態が当該コインの側から解除されていく。
【００３６】
このコイン１の押上げ操作にともない、それまで周方向切欠状部２ａの両端部分２ｂに当接していたコイン側面部分が当該周方向切欠状部の下方に移動し、当該コインと当該周方向切欠状部との当接状態が解除される。
【００３７】
この当接状態の解除により、押上げ操作中のコイン１は図示左方向に少しだけスライドする。すなわち、コイン１の側面部分が肩カバー７の周方向スリット７ｇの両端部分に当接してスライド動作を終える。
【００３８】
ここで、周方向スリット７ｇの上端面部分が図２のコイン１の上面からの力を受けたとき、当該上端面部分から上方に続く中間筒部７ｄおよびその先の内環部７ｅで図３のようなローカル変形が生じにくいのは、次のような理由かと考えられる。
【００３９】
すなわち、
(51)押しボタン２の周方向切欠状部２ａの存在によってコイン１が肩カバー７のいわば深い位置まで入っていき、
(52)コイン１を押し上げるときのテコ作用の支点Ａが、周方向スリット７ｇの上端面部分への初期作用点Ｃからみて図３の場合の支点Ｂの位置より遠くなり、
(53)この支点Ａの内方遠位置への移動により、コイン１が押し上げられる初期段階で周方向スリットの上側端面と当接したときの当該コインの水平状態からの傾きが、図３の場合よりも小さくなり、
(54)その結果、コイン１の押上げ操作の際に、周方向スリット７ｇの上端面部分が当該コインから（図３の場合のような内方への斜め上方向ではなく）略直上方向への力を受けやすく、
(55)そのため、図３で示すような周方向スリット７ｇの直上垂下部分（＝中間筒部７ｄの一部）の内方へのローカルな変形作用が生じにくく、これによりコイン１の下方の下筒部７ａが中間筒部７ｄとともに上方に移動して、当該下筒部の凸状部分７ｂとマウンティングキャップ５のアンダーカット５ａとの係合状態が解除される。
【００４０】
なお、本件出願人は、周方向切欠状部２ａを形成した試作品による実験の結果、コイン１を周方向スリット７ｇから図１の深い位置まで差し込んでからの当該コインに対する利用者の押上げ操作により、上記ＨＤＰＥ(高密度ポリエチレン）などからなる肩カバー７と金属製のマウンティングキャップ５との係合状態が確実に、簡単に解除されることを検証済みである。
【００４１】
また、押しボタン２は上述のように小判状の平面形状からなり、また、肩カバー７の開口部７ｈもこれに対応した形状からなっている。
【００４２】
そのため、この開口部７ｈに押しボタン２が単に入れ込まれるだけで、押しボタン２の周方向切欠状部２ａおよび肩カバー７の周方向スリット７ｇが対向する。
【００４３】
静止モードの押しボタン２を利用者が下方に押圧すると、当該押しボタンと一体のステム３が下動する。
【００４４】
このステム３の下動により、周知の弁作用部が開いて容器本体４，ハウジング６の内容物が噴射剤の作用により「弁作用部−ステム３−通路部２ｃ−孔部２ｄ」を経て外部空間域に噴射される。
【００４５】
また、利用者が押しボタン２の押圧操作を止めると、押しボタンは、周知のコイルスプリング（図示省略）の弾性力により図示上方向に移動して静止モード位置に復帰する。
【００４６】
本発明が以上の実施形態に限定されないことは勿論であり例えば、
(61)コイン１を、肩カバー７の周方向スリット７ｇおよびその対向側の押しボタン２の周方向切欠状部２ａに差し込むときに、
当該コインは、その側面部分が当該周方向スリットの周方向両端部分に当接し、または当該側面部分が当該周方向切欠状部および当該周方向スリットそれぞれの周方向両端部分に当接して停止する、
(62)中間筒部７ｄを下筒部７ａと同一径（外径，内径）からなる筒部として当該筒部に周方向スリットを形成する、
(63)上下動タイプの押しボタン２に代えて回動タイプの操作ボタンを用いる、
(64)ガラス製の容器本体４を用いる、
ようにしてもよい。
【００４７】
本発明が適用されるエアゾール式製品としては、消臭剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，洗濯のり，ウレタンフォーム，消火器，接着剤，潤滑剤などの各種用途のものがある。
【００４８】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００４９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５１】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５３】
高分子化合物としては、メチルセルロース，ゼラチン，デンプン，カゼイン，ヒドロキシエチルセルロース，キサンタンガム，カルボキシビニルポリマーなどを用いる。
【００５４】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５５】
さらに、上記内容液以外の、懸濁剤，紫外線吸収剤，乳化剤，保湿剤，酸化防止剤、金属イオン封鎖剤なども用いることができる。
【００５６】
内容物噴射用ガス（噴射剤）としては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５７】
１：円板状治具としてのコイン
２：押しボタン
２ａ：周方向切欠状部
２ｂ：周方向両端部分
２ｃ：通路部
２ｄ：内容物噴射用の孔部
２'：周方向切欠状部が形成されていない従来の押しボタン（図３のみで使用）
３：ステム
４：容器本体
５：マウンティングキャップ
５ａ：アンダーカット
６：ハウジング
７：肩カバー
７ａ：下筒部
７ｂ：凸状部分
７ｃ：外環部
７ｄ：中間筒部
７ｅ：内環部
７ｆ：上筒部
７ｇ：周方向スリット，
７ｈ：開口部
Ａ：コイン１のテコ作用における支点（図２で使用）
Ｂ：コイン１のテコ作用における支点（図３で使用）
Ｃ：コイン１のテコ作用における初期作用点（図２，図３で使用）
【図１】
2012035846.tif 000003
【図２】
2012035846.tif 000004
【図３】
2012035846.tif 000005